(57)【要約】【課題】あらゆる便器本体部と便座とを簡便に固定することができるようにする。【解決手段】便器本体部１は、所定の間隔で離間する取付孔１ｃを有し、排泄された汚物を受容する。便座１ａは、取付孔１ｃに挿入する挿入部１ｂを有し、便器本体部１の上部に設けられる。これを前提にして、第１の固定部材５０は、取付孔１ｃに対応した位置に挿入部１ｂが貫通する貫通孔を有し、便器本体部１と便座１ａとの間に設けられる。第２の固定部材６０は、便器本体部１に設けられ、第１の固定部材５０とネジ８０で固定される。これにより、便器本体部１に便座１ａを簡単に取り付けることができるようになる。この結果、便器本体部１や便座１ａの種類によらない各種共通の取付孔及び挿入部に対応した位置に設けられた貫通孔を有する第１の固定部材５０が第２の固定部材６０と固定されるので、あらゆる便器本体部と便座とを簡便に固定することができる【選択図】図７
2012034974.tif 000002
【特許請求の範囲】
【請求項１】
所定間隔で離間する取付孔を有し、排泄された汚物を受容する便器本体部と、
前記取付孔に挿入する挿入部を有し、前記便器本体部の上部に設けられる便座と、
前記取付孔に対応した位置に前記挿入部が貫通する貫通孔を有し、前記便器本体部と前記便座との間に設けられる前記第１の固定部材と、
前記便器本体部に設けられ、前記第１の固定部材と固定される第２の固定部材とを備えることを特徴とするトイレ装置。
【請求項２】
前記第１及び第２の固定部材にはネジ孔が設けられ、前記ネジ孔にネジを挿入して締めることにより、前記第１の固定部材と前記第２の固定部材とが固定されることを特徴とする請求項１に記載のトイレ装置。
【請求項３】
前記第１の固定部材には係合部が設けられ、前記第２の固定部材には被係合部が設けられ、前記係合部が前記被係合部に係合することにより、前記第１の固定部材と前記第２の固定部材とが固定されることを特徴とする請求項１に記載のトイレ装置。
【発明の詳細な説明】
【技術分野】
【０００１】
本発明は、家庭や公共施設等に設置される一般的なトイレ装置や、屋外等で簡易的に設置使用されたり、車載用等として使用されたりするポータブルトイレ装置や、介護用のトイレ装置に関するものである。
【背景技術】
【０００２】
従来、介護を必要とする人のために、介護用のポータブルトイレ装置が使用されている。このポータブルトイレ装置は、便座に腰を掛ける腰掛式（所謂洋式）の形態が多い。ポータブルトイレ装置は、汚物を受け入れて排出するための容器を備えた形態や、汚物排水を自然流下で行う形態が一般的である。
【０００３】
図８は、従来の介護用トイレ装置２００の組立例を示す分解斜視図である。図８に示すように、介護用トイレ装置２００は、便器本体部１及び便座１ａ等で構成される。便器本体部１には取付孔１ｄが穿設されており、便座１ａにはネジが切ってある挿入部１ｂが設けられている。
【０００４】
介護用トイレ装置２００を製造する際に、便器本体部１に便座１ａを取り付ける。その取り付け方法は、まず、便器本体部１の取付孔１ｄの上部から便座１ａの挿入部１ｂを挿入して便器本体部１に便座１ａを載置する。すると、挿入部１ｂは、取付孔１ｄを貫通して取付孔の下部から突出する。その突出した挿入部１ｂのネジが切ってある部分に、ナット７０を締め付けることにより、便器本体部１と便座１ａとが固定される。
【０００５】
特許文献１には便座を便器本体部の上面側からの作業で着脱する便座の取付構造について開示されている。この便座の取付構造によれば、上方にネジ穴を有する取付用ボルトを備えることにより、便座の後方上面からネジで固定して便座を便器本体部に取り付ける。
【先行技術文献】
【特許文献】
【０００６】
【特許文献１】実開昭６１−８６０９８号公報
【発明の概要】
【発明が解決しようとする課題】
【０００７】
ところで、従来の介護用トイレ装置によれば、便器本体部１に便座１ａを取り付ける際に、便器本体部の下部のように狭い箇所に作業者が手を入れてナットを締め付けなければならず、その作業は煩雑である。
【０００８】
また、特許文献１によれば、便器本体部に設けられた取付用ボルトに、便座の後方上面からネジを固定することにより、便座を便器本体部に簡単に取り付けることができるが、このネジが露出するような便座の後方上面の空間が必要になり、便器本体部及び便座の種類によって取付用ボルトが使用できない（例えば、図８に示した介護用トイレ装置２００）ことがあり、汎用性に乏しいという問題がある。
【０００９】
そこで、本発明は、上述の課題を解決したものであって、あらゆる便器本体部と便座とを簡便に固定することができるトイレ装置を提供することを目的とする。
【課題を解決するための手段】
【００１０】
上述の課題を解決するために、本発明に係るトイレ装置は、所定間隔で離間する取付孔を有し、排泄された汚物を受容する便器本体部と、取付孔に挿入する挿入部を有し、便器本体部の上部に設けられる便座と、取付孔に対応した位置に挿入部が貫通する貫通孔を有し、便器本体部と便座との間に設けられる第１の固定部材と、便器本体部に設けられ、第１の固定部材と固定される第２の固定部材とを備えることを特徴とするものである。
【００１１】
本発明に係るトイレ装置によれば、便器本体部、便座、第１の固定部材及び第２の固定部材を備える。便器本体部は、所定間隔で離間する取付孔を有し、排泄された汚物を受容する。例えば、この所定間隔とは、便器や便座の種類によらない共通した離間距離を有するものである。便座は、取付孔に挿入する挿入部を有し、便器本体部の上部に設けられる。これを前提にして、第１の固定部材は、取付孔に対応した位置に挿入部が貫通する貫通孔を有し、便器本体部と便座との間に設けられる。第２の固定部材は、便器本体部に設けられ、第１の固定部材と固定される。
【００１２】
これにより、便器本体部の取付孔に便座の挿入部が第１の固定部材の貫通孔を介して挿入して、第１の固定部材と第２の固定部材とが固定されることにより、便器本体部に便座を簡単に取り付けることができるようになる。
【発明の効果】
【００１３】
本発明に係るトイレ装置によれば、便器本体部や便座の種類によらない各種共通の取付孔及び挿入部に対応した位置に設けられた貫通孔を有する第１の固定部材が第２の固定部材と固定されるので、あらゆる便器本体部と便座とを固定することができ、汎用性が向上する。
【図面の簡単な説明】
【００１４】
【図１】本発明に係る介護用トイレ装置１００の構成例を示す斜視図である。
【図２】第１の固定部材５０の構成例を示す斜視図である。
【図３】第１の固定部材５０の構成例を示す平面図である。
【図４】第１の固定部材５０の構成例を示す正面図である。
【図５】第１の固定部材５０の構成例を示す側面図である。
【図６】介護用トイレ装置１００の組立例（その１）を示す分解斜視図である。
【図７】介護用トイレ装置１００の組立例（その２）を示す分解斜視図である。
【図８】従来の介護用トイレ装置２００の組立例を示す分解斜視図である。
【発明を実施するための形態】
【００１５】
以下、図面を参照して、本発明に係る実施の形態の一例として、介護用トイレ装置について説明する。介護用トイレ装置は、排泄された汚物や使用済みのトイレットペーパ等を受容する便器本体部の下方に設けられた粉砕機構部で、便器本体部に供給される洗浄水と共に汚物及びトイレットペーパ等を粉砕して排出する、病院の病室や住宅の居間等に設置可能なものである。
【００１６】
［介護用トイレ装置１００の構成例］  
最初に、本実施の形態に係る介護用トイレ装置１００の構成例について説明する。図１に示すように、介護用トイレ装置１００は、便器本体部１、便座１ａ、給水タンク４、第１の固定部材５０及び第２の固定部材６０等で構成される。
【００１７】
給水タンク４は、例えば１．５から３リットルの洗浄水を貯える。この洗浄水は、当該介護用トイレ装置１００が設置されている部屋とは別の部屋にある備え付けトイレ５（既設の通常のトイレ）から給水される。
【００１８】
便器本体部１は、例えば陶器で構成され、洗浄水が流入する流水口と、上部から汚物を受け入れる上部開口部と、下部から洗浄水及び汚物等を排出する下部開口部とを有する。便器本体部１は、便蓋を開けて便座１ａに腰掛けたユーザから排泄された汚物を上部開口部により受容して、この汚物を流水口から流水する洗浄水と共に下部開口部から排出するものである。
【００１９】
便器本体部１は、図７で示す所定の間隔で離間する取付孔１ｃが設けられる。取付孔１ｃは、図８で示した従来の介護用トイレ装置２００に穿設される取付孔１ｄよりも径が大きく、ナット７０が挿入可能な大きさである。つまり、介護用トイレ装置２００では、ナット７０で便座１ａを固定していたが、本発明に係る介護用トイレ装置１００では、ナット７０は、取付孔１ｃを貫通し、便座１ａと第１の固定部材５０とを固定するものとなる。
【００２０】
便器本体部１の下部には図示しない粉砕機構部が設けられ、この粉砕機構部が洗浄水と共に汚物を粉砕する。
【００２１】
粉砕機構部の下部には図示しない圧送タンクが設けられる。圧送タンクは、例えば、円筒形状に加工された金属又は樹脂等で構成されている。圧送タンクの容量は３〜５リットル程度である。圧送タンクは、粉砕機構部により粉砕された汚物流動体が流入する流入口と、この流入口に流入した汚物流動体を備え付けトイレ５に向かって流出する流出口とを有する。
【００２２】
更に、圧送タンクは、図示しないエアーコンプレッサーに接続されて、このエアーコンプレッサーによって内部に圧縮空気が充填される。このとき、圧送タンク内の圧縮空気が逆流しないように、流入口に設けられた弁機構により、流入口が開閉自在になっている。
【００２３】
流入口から汚物流動体が流入して圧縮空気が充填された圧送タンクは、流出口から汚物流動体を備え付けトイレ５に向かって排出する。
【００２４】
便器本体部１の上方には便座１ａが設けられる。便蓋と一体になった便座１ａの開閉により介護用トイレ装置１００の各種処理が行われる。便座１ａには備え付けトイレ５からの洗浄水が給水されて、便座１ａから洗浄水が噴出して当該便座１ａに腰掛けたユーザの臀部等を洗浄する。
【００２５】
便座１ａには図６で示す挿入部１ｂが設けられる。挿入部１ｂにはネジが切ってあり、ナット７０に挿入可能になっている。また、挿入部１ｂは、便器本体部１の取付孔１ｃに挿入する。
【００２６】
便器本体部１と便座１ａとの間には第１の固定部材５０が設けられる。第１の固定部材５０は、便器本体部１の取付孔１ｃに対応した位置に便座１ａの挿入部１ｂが貫通する貫通孔５０ａ（図２乃至図５参照）を有する。また、第１の固定部材５０は、ネジ孔５０ｂ（図２乃至図５参照）を有する。
【００２７】
便器本体部１には第２の固定部材６０が設けられる。第２の固定部材６０は、ネジ孔６０ａを有し、このネジ孔６０ａと第１の固定部材５０のネジ孔５０ｂとを重ね、該重ねたネジ孔５０ｂ，６０ａにネジ８０を挿入して締めることにより、第１の固定部材と固定される。このように第１及び第２の固定部材５０，６０の固定により、便器本体部１と便座１ａとが固定される。
【００２８】
介護用トイレ装置１００の下後方には図示しないコンセントが設けられる。従来の介護用トイレ装置は、暖房洗浄便座等の電気により駆動するものを追加するときに、暖房洗浄便座の電源コードが短いと、当該介護用トイレ装置を設置する部屋に設けられたコンセントの位置によって、設置場所が制限されてしまい不便であった。また、複数の電気駆動のものを当該介護用トイレ装置に追加すると、電源コードが何本も部屋を這うようになってしまう。
【００２９】
そこで、本発明に係る介護用トイレ装置１００ではコンセントを設けた。これにより、暖房洗浄便座等の電源コードをこのコンセントに差し込むことで、設置部屋のコンセントの位置に依存されないので当該介護用トイレ装置１００の設置場所が制限されることなく、また、当該介護用トイレ装置１００を設置した部屋に電源コードが何本も這うようなことを防止することができる。なお、コンセントは、１つだけ設けても良いし、複数設けても良い。
【００３０】
［第１の固定部材５０の構成例］  
次に、便器本体部１と便座１ａとの間に設けられる第１の固定部材５０の構成例について説明する。第１の固定部材５０は、アルミニウムやステンレス等の金属材料で構成され、その厚みは２〜３ｍｍ程度である。図２乃至図５に示すように、第１の固定部材５０は、平板部分に所定間隔の貫通孔５０ａが設けられ、平板部分から左右に延在した部分に長円形状に形成されたネジ孔５０ｂが設けられる。貫通孔５０ａは、便座１ａの挿入部１ｂに挿入される孔である。ネジ孔５０ｂは、第２の固定部材６０のネジ孔６０ａとネジ８０で固定される孔である。
【００３１】
第１の固定部材５０の下方には緩衝部材５１が設けられる。緩衝部材５１は、第１の固定部材５０と便器本体部１とが直接当接して便器本体部１に傷が付くのを防ぐためのものであり、介護用トイレ装置１００の完成時に第１の固定部材５０と便器本体部１との間に設けられるものである。緩衝部材５１には第１の固定部材５０の貫通孔５０ａに対応した位置に貫通孔５１ａが設けられる。
【００３２】
［介護用トイレ装置１００の組立例］  
次に、介護用トイレ装置１００の組立例について説明する。図６に示すように、まず、便座１ａの挿入部１ｂに第１の固定部材５０の貫通孔５０ａを貫通させて、便座１ａの下面に第１の固定部材５０を当接させる。そして、貫通孔５０ａを貫通した挿入部１ｂにナット７０を取り付けることにより、便座１ａと第１の固定部材５０とが固定される。
【００３３】
図７に示すように、便器本体部１にはナット７０が挿入可能な大きさの径を有する取付孔１ｃを穿設する。この取付孔１ｃの間隔は、従来の介護用トイレ装置２００の取付孔１ｄの間隔と同じであり、便器本体部や便座の種類によらない共通した離間距離を有するものである。
【００３４】
取付孔１ｃに、先程の図６で説明した、第１の固定部材５０が固定された便座１ａの挿入部１ｂを挿入する。この際、取付孔１ｃには挿入部１ｂのみならず、ナット７０も挿入されて、ナット７０の上部にある緩衝部材５１と便器本体部１とが当接する。
【００３５】
取付孔１ｃに挿入部１ｂ等が挿入した後、第１の固定部材５０のネジ孔５０ｂと第２の固定部材６０のネジ孔６０ａとの位置が一致するように便座１ａの位置を微調整する。そして、ネジ孔５０ｂ，６０ａにネジ８０を挿入して締めることにより、第１の固定部材５０と第２の固定部材６０とが固定されて、この結果、便座１ａと便器本体部１とが固定される。
【００３６】
このように、本実施の形態に係る介護用トイレ装置１００によれば、便器本体部１、便座１ａ、第１の固定部材５０及び第２の固定部材６０を備える。便器本体部１は、所定の間隔で離間する取付孔１ｃを有し、排泄された汚物を受容する。便座１ａは、取付孔１ｃに挿入する挿入部１ｂを有し、便器本体部１の上部に設けられる。
【００３７】
上述の所定間隔は、便器本体部や便座の種類によらない共通した離間距離を有するものである。また、取付孔１ｃは、従来の介護用トイレ装置２００の取付孔１ｄよりも大きな径を有するものである。
【００３８】
これを前提にして、第１の固定部材５０は、取付孔１ｃに対応した位置に挿入部１ｂが貫通する貫通孔５０ａを有し、便器本体部１と便座１ａとの間に設けられる。第２の固定部材６０は、便器本体部１に設けられ、第１の固定部材５０と固定される。
【００３９】
これにより、便器本体部１の取付孔１ｃに便座１ａの挿入部１ｂが第１の固定部材５０の貫通孔５０ａを介して挿入して、第１の固定部材５０と第２の固定部材６０とが固定されることにより、便器本体部１に便座１ａを簡単に取り付けることができるようになる。
【００４０】
この結果、便器本体部１や便座１ａの種類によらない各種共通の取付孔及び挿入部に対応した位置に設けられた貫通孔５０ａを有する第１の固定部材５０が第２の固定部材６０と固定されるので、あらゆる便器本体部と便座とを簡便に固定することができ、汎用性が向上する。
【００４１】
なお、本実施の形態では、第１及び第２の固定部材５０，６０にネジ孔５０ｂ，６０ａを設けてネジ８０により当該第１及び第２の固定部材５０，６０を固定する方法について説明したが、これに限定されず、第１の固定部材に係合部を設け、第２の固定部材に被係合部を設け、係合部が被係合部に係合することにより、第１及び第２の固定部材を固定するようにしても構わない。
【符号の説明】
【００４２】
１・・・便器本体部、１ａ・・・便座、１ｂ・・・挿入部、１ｃ，１ｄ・・・取付孔、５・・・備え付けトイレ、５０・・・第１の固定部材、５０ａ，５１ａ・・・貫通孔、５０ｂ，６０ａ・・・ネジ孔、５１・・・緩衝部材、６０・・・第２の固定部材、７０・・・ナット、８０・・・ネジ、１００，２００・・・介護用トイレ装置
【図１】
2012034974.tif 000003
【図２】
2012034974.tif 000004
【図３】
2012034974.tif 000005
【図４】
2012034974.tif 000006
【図５】
2012034974.tif 000007
【図６】
2012034974.tif 000008
【図７】
2012034974.tif 000009
【図８】
2012034974.tif 000010